(57)【要約】【課題】人手によらず、連続的且つ均等に紙片等を所望の空間に確実に降らせることができるようにする。【解決手段】紙片Ｐ等を入れる飛散材料収容室４と、飛散材料収容室４に隣接して設けられ、内部に送風機２が設置された送風室３とを備えた紙吹雪等の発生装置であって、送風室３には空気を取り入れる空気取入口６が形成され、送風室３と飛散材料収容室４との隔壁には送風機２からの空気が流れ込む空気流入口９が形成され、飛散材料収容室４には紙片Ｐ等の飛散材料が空気と共に流出する飛散材料混入空気流出口１０が設けられている。【選択図】  図１
2011067336.tif 000002
【特許請求の範囲】
【請求項１】
飛散材料を入れる飛散材料収容室と、飛散材料収容室に空気を送り込む送風機とを備え、飛散材料収容室には送風機からの空気が流れ込む空気流入口と飛散材料が空気と共に流出する飛散材料混入空気流出口が設けられている、紙吹雪等の発生装置。
【請求項２】
飛散材料を入れる飛散材料収容室と、飛散材料収容室に隣接して設けられ、内部に送風機が設置された送風室とを備えており、送風室には空気を取り入れる空気取入口が形成され、送風室と飛散材料収容室との隔壁には送風機からの空気が流れ込む空気流入口が形成され、飛散材料収容室には飛散材料が空気と共に流出する飛散材料混入空気流出口が設けられている、紙吹雪等の発生装置。
【請求項３】
飛散材料収容室の下方に送風室が形成され、空気取入口が送風室の底壁に設けられ、送風室と飛散材料収容室との隔壁は送風室の上壁および飛散材料収容室の底壁となっており、飛散材料混入空気流出口は飛散材料収容室の上壁に設けられている、請求項２記載の紙吹雪等の発生装置。
【請求項４】
飛散材料収容室の横に送風室が形成され、空気取入口が送風室の底壁に設けられ、送風室と飛散材料収容室との隔壁は送風室および飛散材料収容室の側壁となっており、飛散材料混入空気流出口は飛散材料収容室の底壁に設けられている、請求項２記載の紙吹雪等の発生装置。
【請求項５】
飛散材料収容室の下部に飛散材料の滞留を防止する漏斗状部材が設置された、請求項１〜請求項４のうちのいずれか一項記載の紙吹雪等の発生装置。
【請求項６】
飛散材料収容室に飛散材料を入れる開口部を形成され、該開口部に蓋部材が着脱自在に取り付けられた、請求項１〜請求項５のうちのいずれか一項記載の紙吹雪等の発生装置。
【請求項７】
下部にキャスターを備えた、請求項１〜請求項６のうちのいずれか一項記載の紙吹雪等の発生装置。
【請求項８】
飛散材料収容室が筒状体となされ、筒状体の空気流入口に送風機が接続され、送風機および筒状体が持ち運び可能となされている、請求項１記載の紙吹雪等の発生装置。
【請求項９】
請求項１〜請求項８のうちのいずれか一項記載の装置を用いた紙吹雪等の発生システムであって、紙吹雪等の発生装置における飛散材料収容室の飛散材料混入空気流出口にダクトの一端を接続し、該ダクトの他端を紙吹雪等の発生場所に位置せしめることで、紙吹雪等がダクトを介して所望の場所で発生するようになされている、紙吹雪等の発生システム。
【発明の詳細な説明】
【技術分野】
【０００１】
本発明は、紙片、羽根および花びら等を舞台や結婚式場或いはイベント会場等の所望の場所で飛散させるための紙吹雪等の発生装置に関する。
【背景技術】
【０００２】
演劇やコンサートが上演されている舞台や新郎新婦が登場する結婚式会場等では、紙片や花びらを降らせて演出効果を高めることが行われているが、従来、紙片や花びらを降らせる場合、人が片方の手に紙片等が入った容器を持ち、もう一方の手で容器内の紙片等を適当量掴んで空中に撒くか、或いは底部に多数の小孔が形成された横長の箱型容器に多量の紙片等を入れ、該容器を一人または二人の裏方スタッフが舞台上方で左右方向に振って容器内の紙片等を徐々に落下させていた。
【発明の概要】
【発明が解決しようとする課題】
【０００３】
紙吹雪等をうまく発生させるためには、空中に紙片等を均等に撒く必要があるが、人が紙片等を手で掴んで撒く場合、紙片等が固まりとなって落下し易く、また紙片等が断続的に撒かれるため、十分な演出効果を得られなかった。一方、裏方スタッフが横長の箱型容器を用いて舞台上方から散布する場合でも紙片等を連続的に一定量ずつ均等に降らせるには、ある程度の熟練を要する上、舞台の上方が観客から見え易い場合、紙吹雪等による演出効果が損なわれるという致命的欠点があった。
【０００４】
本発明の目的は、人手によらず、連続的且つ均等に紙片等を所望の空間に簡単且つ確実に降らせることができる紙吹雪等の発生装置を提供することにある。
【課題を解決するための手段】
【０００５】
請求項１記載の本発明は、飛散材料を入れる飛散材料収容室と、飛散材料収容室に空気を送り込む送風機とを備え、飛散材料収容室には送風機からの空気が流れ込む空気流入口と飛散材料が空気と共に流出する飛散材料混入空気流出口が設けられている紙吹雪等の発生装置である。
【０００６】
なお、本願において、「紙吹雪等」とは、多数の紙片が吹雪状に飛散している状態の他、紙片以外の多数の羽根や花びら等の種々の飛散材料が吹雪状に飛散している状態をも意味する。
【０００７】
請求項２記載の本発明は、飛散材料を入れる飛散材料収容室と、飛散材料収容室に隣接して設けられ、内部に送風機が設置された送風室とを備えており、送風室には空気を取り入れる空気取入口が形成され、送風室と飛散材料収容室との隔壁には送風機からの空気が流れ込む空気流入口が形成され、飛散材料収容室には飛散材料が空気と共に流出する飛散材料混入空気流出口が設けられている紙吹雪等の発生装置である。
【０００８】
請求項３記載の本発明は、請求項２記載の紙吹雪等の発生装置について、飛散材料収容室の下方に送風室が形成され、空気取入口が送風室の底壁に設けられ、送風室と飛散材料収容室との隔壁は送風室の上壁および飛散材料収容室の底壁となっており、飛散材料混入空気流出口は飛散材料収容室の上壁に設けられていることを特徴とするものである。
【０００９】
請求項４記載の本発明は、前記請求項２記載の紙吹雪等の発生装置について、飛散材料収容室の横に送風室が形成され、空気取入口が送風室の底壁に設けられ、送風室と飛散材料収容室との隔壁は送風室および飛散材料収容室の側壁となっており、飛散材料混入空気流出口は飛散材料収容室の底壁に設けられていることを特徴とするものである。
【００１０】
請求項５記載の本発明は、前記請求項１〜請求項４のうちのいずれか一項記載の紙吹雪等の発生装置について、飛散材料収容室の下部に飛散材料の滞留を防止する漏斗状部材が設置されていることを特徴とするものである。
【００１１】
請求項６記載の本発明は、前記請求項１〜請求項５のうちのいずれか一項記載の紙吹雪等の発生装置について、飛散材料収容室に飛散材料を入れる開口部を形成され、該開口部に蓋部材が着脱自在に取り付けられたことを特徴とするものである。
【００１２】
請求項７記載の本発明は、前記請求項１〜請求項６のうちのいずれか一項記載の紙吹雪等の発生装置について、下部にキャスターを有することを特徴とするものである。
【００１３】
請求項８記載の本発明は、飛散材料収容室が筒状体となされ、筒状体の空気流入口に送風機が接続され、送風機および筒状体が持ち運び可能となされていることを特徴とするものである。
【００１４】
請求項９記載の本発明は、前記請求項１〜請求項８のうちのいずれか一項記載の装置を用いた紙吹雪等の発生システムであって、紙吹雪等の発生装置における飛散材料収容室の飛散材料混入空気流出口にダクトの一端を接続し、該ダクトの他端を紙吹雪等の発生場所に位置せしめることで、紙吹雪等をダクトを介して所望の場所で発生するようになされている紙吹雪等の発生システムである。
【発明の効果】
【００１５】
本発明に係る紙吹雪等の発生装置によれば、飛散材料収容室に送風機から空気が送り込まれることで、飛散材料収容室における飛散材料混入空気流出口から紙片や羽根等の飛散材料が連続的且つ均等な状態で空気中に放出されるため、紙吹雪等による優れた演出効果が簡単且つ確実に得られる。
【００１６】
また、飛散材料収容室の内部に漏斗状部材が設置された本発明の装置によれば、飛散材料収容室内に予め収容された飛散材料が残らず、常にその全量が放出されるという利点がある。
【００１７】
更に、本発明に係る紙吹雪等の発生システムによれば、ダクトを介して所望の場所で紙吹雪等が発生できるため、従来のように、演出効果を損ねることもない。
【図面の簡単な説明】
【００１８】
【図１】実施形態１に係る発生装置の概要を示す断面図である。
【図２】同発生装置の斜視図であって、蓋部材が外された状態を示す。
【図３】同発生装置の斜視図であって、蓋部材が装着された状態を示す。
【図４】同発生装置の平面図であって、蓋部材が外された状態を示す。
【図５】実施形態２に係る発生装置の斜視図である。
【図６】図５の発生装置を反対側から示した斜視図である。
【図７】同実施形態に係る発生装置の断面図である。
【図８】実施形態３に係る発生装置の側面断面図である。
【図９】同実施形態に係る発生装置の分解側面図である。
【発明を実施するための形態】
【００１９】
次に、本発明の実施形態を図面にしたがって説明するが、本発明はかかる実施形態に限定されるものではない。
【００２０】
（実施形態１）
【００２１】
図１〜図４に示すように、本実施形態に係る紙吹雪発生装置１は、全体形状が略円筒状であって、下部に送風機２が設置された送風室３と、送風室３の上方に設けられた飛散材料収容室４と、飛散材料収容室４の上部開口を閉止する蓋部材５とを有する。
【００２２】
送風室３は、底壁３ａに空気を取り入れる空気取入口６が形成され、底壁３ａの下面には複数のキャスター７が取り付けられている。また、送風機２の上部には送風用パイプ８が取り付けられ、その先端８ａが送風室３の上壁３ｂと飛散材料収容室４の底壁４ａ（隔壁）に連通して形成された空気流入口９に接続されている。
【００２３】
飛散材料収容室４は、その底壁４ａに前記空気流入口９を覆う網板状部材１１が取り付けられ、また下部には漏斗状部材１２が設置されているものである。
【００２４】
蓋部材５には、飛散材料が空気と共に流出する飛散材料混入空気流出口１０が形成され、該流出口１０にはダクト（図示せず）を取り付けるための円筒状突出部１３が一体に形成されている。また、蓋部材５は、市販の止め具１４を介して飛散材料収容室４の上部に水密状に装着されており、更に当該発生装置１の内部全体もシール部材等を介して水密性が確保されるようになされている。そのため、本実施形態の発生装置１は屋外型として使用することができる。
【００２５】
次に、本実施形態に係る発生装置１の使用要領について説明すると、予め蓋部材５を開けて収納室４内に飛散材料として適当量の紙片Ｐを入れておき、次に、送風機２を作動させることによって、外気が空気取入口６から送風室３内に取り入れられ、次に、該空気は送風用パイプ８を通って飛散材料収納室４の空気流入口９へと送られ、そして、該流入口９から空気が流れ込むと共に、該空気が収納室４内を左右方向に回ることによって、その中に紙片Ｐが混入してゆき、この紙片Ｐが混入した空気が収納室４の蓋部材５上面の円筒状突出部１３から吹き出ることとなる。そして、予め前記円筒状突出部１３にダクトの基端部を接続する一方、ダクトの先端部を紙吹雪の発生位置の上方に配置することで該場所に紙吹雪が舞うこととなる。また、この際、送風機２の風量の調節や送風のＯＮ／ＯＦＦをリモートコントローラで行うようにしても良い。
【００２６】
なお、紙片Ｐが収容室４から流出する際、飛散材料収容室４内には漏斗状部材１２が設置されているため、収容室４内の紙片Ｐは該収容室内に滞留することなく、残らず流出する。ただし、紙片Ｐの飛散材料が比較的飛び易い場合には、漏斗状部材１２は省略される。
【００２７】
（実施形態２）
【００２８】
図５〜図７に示すように、本実施形態に係る紙吹雪発生装置２１は、本体２２の形状が横長箱型であって、本体２２の下面には４本の脚体２３が設けられ、各脚体２３の下端にはキャスター２４が取り付けられている。
【００２９】
本体２２は、正面から見てその右側が送風機２５を備えた送風室２６となされ、左側が飛散材料として多数の紙片Ｐが入れられた飛散材料収容室２７となされている。また、送風室２６と飛散材料収容室２７はいずれも上部に開口部２６ａ・２７ａを有し、これら開口部２６ａ・２７ａはそれぞれ方形の蓋部材２８によって閉止自在となされている。
【００３０】
なお、図中３１は蓋部材２８を支持するヒンジである。
【００３１】
送風室２６は、底壁２６ｂに空気を取り入れる空気取入口３２が形成され、側壁２６ｃには送風機２５の送風用パイプ３３の先端部が挿入された空気流入口３４が形成されている。
【００３２】
飛散材料収容室２７の底壁２７ｂには、紙片Ｐが混入した飛散材料混入空気の流出口３４が形成され、該流出口３４にはダクト（図示せず）を接続するための円筒状突出部材４１が一体に形成されている。
【００３３】
本実施形態に係る発生装置２１の使用要領について説明すると、予め蓋部材２８を開けて収容室２７内に紙片Ｐを入れておき、次に、送風機２５を作動させることによって、外気が空気取入口３２から送風室２６内に取り入れられ、次に、該空気は送風用パイプ３３を通って飛散材料収容室２７の空気流入口３４へと送られ、そして、該流入口３４から空気が収容室２７内に流れ込むと共に、該空気が収納室２７内を左右方向に回ることによって、その中に紙片Ｐが混入してゆき、この紙片Ｐが混入した空気が収納室２７における飛散材料混入空気流出口３４に取り付けられた円筒状突出部材４１から吹き出ることとなる。
【００３４】
（実施形態３）
【００３５】
図８および図９に示すように、紙吹雪発生装置５１は、比較的軽量小型の送風機５２と、送風機５２先端の送風用パイプ５３が接続された筒状体５４とを備え、筒状体５４先端の略円筒状突出部材５４ｃには所定長のダクト状部材５６が取り付けられている。
【００３６】
筒状体５４は、より詳細には、円筒状の本体５４ａと本体５４ａの両端を閉止する蓋部材５４ｂおよび略円筒状突出部材５４ｃとからなり、内部が飛散材料収容室５７となされている。また、筒状体５４内の両端部には紙片Ｐの滞留防止用の漏斗状部材５８が装着されている。なお、図中５５は送風機５２と送風用パイプ５３とをつなぐジョイントを示す。
【００３７】
本実施形態に係る発生装置５１は、これを使用者が手で持って使用場所へ行き、ダクト状部材５６を所望の方向へ向けて送風機を作動させることにより、予め筒状体５４内に収容された紙片Ｐがダクト状部材５６の先端から吹き出すため、所望の場所で簡単に紙吹雪を発生させることができる。
【産業上の利用可能性】
【００３８】
本発明の装置によれば、簡単に紙吹雪等が発生でき、十分な演出効果が得られるため、幅広い利用が期待できる。
【符号の説明】
【００３９】
１  紙吹雪発生装置
２  送風機
３  送風室
４  飛散材料収容室
５  蓋部材
６  空気取入口
９  空気流入口
１０  飛散材料混入空気流出口
【図１】
2011067336.tif 000003
【図２】
2011067336.tif 000004
【図３】
2011067336.tif 000005
【図４】
2011067336.tif 000006
【図５】
2011067336.tif 000007
【図６】
2011067336.tif 000008
【図７】
2011067336.tif 000009
【図８】
2011067336.tif 000010
【図９】
2011067336.tif 000011